(57)【要約】【課題】  どの端末装置がどのテレビ番組を受信しているかをサービス実施側が特定する。【解決手段】  携帯型電話機２の制御部１２は、テレビ放送を受信するチューナ制御部１８と、受信するテレビ放送の番組を特定する番組特定情報を出力する番組特定情報取得部２１と、上記番組特定情報と上記端末装置を特定する端末特定情報とを関連づけた識別情報を出力する識別情報出力部２３と、上記識別情報をサーバ装置へ送信するネットワーク通信制御部１７と、を含む。【選択図】  図１
2005277783.tif 000002
【特許請求の範囲】
【請求項１】
サーバ装置と通信ネットワークを介して通信可能な端末装置であって、
上記端末装置の動作を制御する第一制御手段を含み、
上記第一制御手段は、
テレビ放送を受信するテレビ放送受信手段と、
受信するテレビ放送の番組を特定する番組特定情報を出力する番組特定情報出力手段と、
上記番組特定情報と、上記端末装置を特定する端末特定情報とを関連づけた識別情報を出力する識別情報出力手段と、
上記識別情報を上記サーバ装置へ送信する第一送信手段と、
を含むことを特徴とする端末装置。
【請求項２】
上記端末装置とは、携帯型電話機であることを特徴とする請求項１に記載の端末装置。
【請求項３】
上記第一制御手段は、上記識別情報に含まれる番組特定情報から特定されるテレビ番組に関連する関連情報を上記サーバ装置から受信する第一受信手段を含むことを特徴とする請求項１または２に記載の端末装置。
【請求項４】
上記番組特定情報には、受信チャンネルを示すチャンネル情報および受信時刻を示す受信時刻情報が含まれていることを特徴とする請求項１ないし３のいずれか１項に記載の端末装置。
【請求項５】
上記番組特定情報出力手段は、ＥＰＧデータを参照して、上記番組特定情報を出力することを特徴とする請求項１ないし４のいずれか１項に記載の端末装置。
【請求項６】
テレビ放送を受信する端末装置と通信ネットワークを介して通信可能なサーバ装置であって、
上記サーバ装置の動作を制御する第二制御手段を含み、
上記第二制御手段は、上記端末装置の受信するテレビ番組を特定する番組特定情報と、上記端末装置を特定する端末特定情報とを関連づけた識別情報を上記端末装置から受信する第二受信手段を含むことを特徴とするサーバ装置。
【請求項７】
上記第二制御手段は、
上記識別情報から特定されるテレビ番組に関連する関連情報を取得する関連情報取得手段と、
上記識別情報から特定される端末装置に上記関連情報を送信する第二送信手段と、
を含むことを特徴とする請求項６に記載のサーバ装置。
【請求項８】
上記関連情報取得手段は、上記通信ネットワークを介して他のサーバ装置から上記関連情報を取得することを特徴とする請求項７に記載のサーバ装置。
【請求項９】
上記関連情報は、他のサーバ装置のＵＲＬデータであることを特徴とする請求項７または８に記載のサーバ装置。
【請求項１０】
上記第二制御手段は、
個々の端末装置から受信した識別情報に基づき、所定のテレビ番組の視聴頻度を示す視聴パラメータを出力する視聴パラメータ出力手段を含むことを特徴とする請求項６に記載のサーバ装置。
【請求項１１】
上記視聴パラメータ出力手段は、所定のテレビ番組の視聴率データを出力することを特徴とする請求項１０に記載のサーバ装置。
【請求項１２】
上記視聴パラメータ出力手段は、各端末装置の利用者の属性を示す属性情報を取得し、個々の利用者の属性毎に視聴率データを出力することを特徴とする請求項１１に記載のサーバ装置。
【請求項１３】
上記番組特定情報は、上記端末装置の受信するテレビ番組の履歴を示す情報であり、
上記視聴パラメータ出力手段は、端末装置毎に、所定のテレビ番組の視聴時間を示す視聴時間データを出力することを特徴とする請求項１０に記載のサーバ装置。
【請求項１４】
請求項１ないし５のいずれか１項に記載の端末装置と、請求項６ないし１３のいずれか１項に記載のサーバ装置とが通信ネットワークを介して通信可能な通信ネットワークシステム。
【請求項１５】
サーバ装置と通信ネットワークを介して通信可能な端末装置の制御方法であって、
上記端末装置に含まれ、この端末装置の動作を制御する第一制御手段が実行するステップに、
テレビ放送を受信するステップと、
受信するテレビ放送の番組を特定する番組特定情報を出力するステップと、
上記番組特定情報と、上記端末装置を特定する端末特定情報とを関連づけた識別情報を出力するステップと、
上記識別情報を上記サーバ装置へ送信するステップと、
を含むことを特徴とする端末装置の制御方法。
【請求項１６】
テレビ放送を受信する端末装置と通信ネットワークを介して通信可能なサーバ装置の制御方法であって、
上記サーバ装置に含まれ、このサーバ装置の動作を制御する第二制御手段が実行するステップに、
上記端末装置の受信するテレビ番組を特定する番組特定情報と、上記端末装置を特定する端末特定情報とを関連づけた識別情報を上記端末装置から受信するステップを含むことを特徴とするサーバ装置の制御方法。
【請求項１７】
端末装置とサーバ装置とが通信ネットワークを介して通信可能な通信ネットワークシステムの制御方法であって、
上記端末装置に含まれ、この端末装置の動作を制御する第一制御手段が実行するステップに、テレビ放送を受信するステップと、受信するテレビ放送の番組を特定する番組特定情報を出力するステップと、上記番組特定情報と上記端末装置を特定する端末特定情報とを関連づけた識別情報を出力するステップと、上記識別情報を上記サーバ装置へ送信するステップと、を含み、
上記サーバ装置に含まれ、このサーバ装置の動作を制御する第二制御手段が実行するステップに、上記識別情報を上記端末装置から受信するステップを含むことを特徴とする通信ネットワークシステムの制御方法。
【請求項１８】
請求項１ないし５のいずれか１項に記載の端末装置の第一制御手段に含まれる機能をコンピュータで実現するプログラム。
【請求項１９】
請求項６ないし１３のいずれか１項に記載のサーバ装置の第二制御手段に含まれる機能をコンピュータで実現するプログラム。
【請求項２０】
請求項１ないし５のいずれか１項に記載の端末装置の第一制御手段に含まれる機能をコンピュータで実現するプログラムを記録した記録媒体。
【請求項２１】
請求項６ないし１３のいずれか１項に記載のサーバ装置の第二制御手段に含まれる機能をコンピュータで実現するプログラムを記録した記録媒体。
【発明の詳細な説明】
【技術分野】
【０００１】
本発明は、通信ネットワークを介して情報の通信が可能であると共に、テレビ放送受信アプリケーションを用いてテレビ放送の受信が可能な端末装置、例えば、携帯型電話機，ＰＨＳ（Personal Handyphone System，登録商標），ＰＤＡ（Personal Digital Assistant），ＰＣ（Personal Computer）等に関するものである。
【背景技術】
【０００２】
最近、設置型のテレビにおいて、双方向通信を実現するシステムが導入されている。したがって、テレビ局において、今後、インタラクティブな番組の制作が行なわれていくと考えられる。
【０００３】
また、テレビ放送を受信できる携帯型電話機が実現されている。ここで、わが国の国民全体に占める携帯型電話機の普及率(2003年12月末で62.5%)の観点から、将来的に、携帯型電話機とテレビ放送とを関連づけた新たなサービスが活発に提供されると考えられる。
【０００４】
ここで、ユーザーからすれば、インタラクティブなデバイスとして、設置型のテレビよりも、通信ネットワークを介して通信が可能な携帯型電話機，ＰＨＳ，ＰＤＡ，ＰＣ等の端末装置の方が慣れ親しんでおり、このような端末装置のユーザーをターゲットにしたテレビ番組制作がより重要になってくると考えられる。
【０００５】
また、設置型のテレビにおいては、現実にテレビ番組を鑑賞している者とテレビ所有者とが完全一致しないケースが多いが（１台につき複数人が利用する）、上述した端末装置においては、設置型のテレビよりも、テレビ番組を鑑賞している者とデバイスの所有者とが完全一致する傾向にある。この傾向は、上記端末装置のうち、携帯電話機やＰＨＳにおいて特に顕著である。
【０００６】
したがって、テレビ番組の制作において、端末装置毎に所有者の趣向を分析すると共に、各所有者の趣向を反映した情報（コンテンツ）を各々の端末装置に配信することも、将来的に重要になってくる。なお、端末装置に対してコンテンツを配信する先行技術として、以下に示す特許文献１が開示され、端末装置とテレビ放送とを関連づけた先行技術として、以下に示す特許文献２〜４が開示されている。
【特許文献１】特開２００３−４６４５９号公報（公開日：平成１５年２月１４日）
【特許文献２】特開２００２−１３５８１０号公報（公開日：平成１４年５月１０日）
【特許文献３】特開２００３−８７８２７号公報（公開日：平成１５年３月２０日）
【特許文献４】特開２００３−３０８０３５号公報（公開日：平成１５年１０月３１日）
【発明の開示】
【発明が解決しようとする課題】
【０００７】
ところで、テレビ番組において、端末装置毎に所有者の趣向を分析し、各所有者の趣向に特化した情報の配信を実現するためには、どの端末装置がどの番組を受信しているかを示す情報を入手する必要があるが、そのような情報を入手する手段は、従来、具体化されていなかった。
【０００８】
例えば、上述した特許文献１によれば、端末装置からサーバに対して時刻情報を送信し、この時刻情報に基づいた放送コンテンツをサーバから端末装置へ配信しているが、各端末装置が複数局受信可能な場所に位置している場合、時刻情報のみでは、各端末装置が受信しているテレビ番組までを特定することができない。
【０００９】
本発明は、以上の点に鑑みてなされたものであり、通信ネットワークを介して情報の通信が可能な端末装置、サーバ装置において、どの端末装置がどのテレビ番組を受信しているかをサービス実施側が特定できる端末装置、サーバ装置を提供することを目的とする。
【課題を解決するための手段】
【００１０】
上記の目的を達成するために、本発明の端末装置は、サーバ装置と通信ネットワークを介して通信可能な端末装置であって、上記端末装置の動作を制御する第一制御手段を含み、上記第一制御手段は、テレビ放送を受信するテレビ放送受信手段と、受信するテレビ放送の番組を特定する番組特定情報を出力する番組特定情報出力手段と、上記番組特定情報と、上記端末装置を特定する端末特定情報とを関連づけた識別情報を出力する識別情報出力手段と、上記識別情報を上記サーバ装置へ送信する第一送信手段と、を含むことを特徴とする。
【００１１】
上記構成によれば、上記識別情報出力手段は、受信するテレビ放送の番組を特定する番組特定情報と、上記端末装置を特定する端末特定情報とを関連づけた識別情報を出力している。そして、該識別情報は、端末装置から通信ネットワークを介してサーバ装置へ送信されることになる。よって、各々の端末装置からの識別情報をサーバ装置に蓄積することにより、サーバ装置側からすれば、どの端末装置がどのテレビ番組を受信しているかを明確に特定することが可能となる。
【００１２】
なお、端末特定情報としては、例えば、ＰＳＩＤ (personal station identification，端末識別番号)、電話番号、メールアドレス等があるが、個々の端末ごとに与えられ、各端末を識別できるデータであればいかなるものでも構わない。
【００１３】
本発明の端末装置は、上記構成に加えて、上記端末装置とは、携帯型電話機であることを特徴とする。
【００１４】
テレビ放送受信可能な端末装置の中で、携帯型電話機は、各々の所有者（利用者）とテレビ番組の視聴者とが完全一致する傾向が最も強い。したがって、テレビ番組に関するサービス提供者からすれば、どの携帯型電話機がどのテレビ番組を受信しているかを特定することが、今後、極めて重要になる。
【００１５】
本発明の端末装置は、上記構成に加えて、上記第一制御手段は、上記識別情報に含まれる番組特定情報から特定されるテレビ番組に関連する関連情報を上記サーバ装置から受信する第一受信手段を含むことを特徴とする。
【００１６】
上記構成によれば、サーバ装置は、どの端末装置がどの番組を受信しているかを明確に特定することができるため、端末装置が受信しているテレビ番組に関連する関連情報を端末装置へ送信することができる。よって、端末装置の利用者側からすれば、受信しているテレビ番組に関連する関連情報を取得でき、インタラクティブなサービスを享受することができる。
【００１７】
本発明の端末装置は、上記構成に加えて、上記番組特定情報には、受信チャンネルを示すチャンネル情報および受信時刻を示す受信時刻情報が含まれていることを特徴とする。
【００１８】
サーバ装置側において端末装置が受信しているテレビ番組を特定するためには、端末装置における（a）受信チャンネル,（ｂ）受信地域（ｃ）受信時刻を特定する必要がある。
【００１９】
ここで、上記構成によれば、端末装置から出力する識別情報は、端末装置が位置している地域の基地局および通信ネットワークを介してサーバ装置へ伝送される。つまり、サーバ装置側からすれば、端末装置が位置している地域、すなわち上記の受信地域を特定することが可能である。したがって、サーバ装置側からすれば、端末装置が受信しているチャンネルを示すチャンネル情報と受信時刻を示す受信時刻情報とが上記番組特定情報に含まれていれば、端末装置が受信しているテレビ番組を特定することができる。
【００２０】
本発明の端末装置は、上記構成に加えて、上記番組特定情報出力手段は、ＥＰＧデータを参照して、上記番組特定情報を出力することを特徴とする。
【００２１】
上記構成によれば、番組特定情報出力手段は、ＥＰＧ（Electronic Program Guide，電子番組ガイド）データを参照しているため、受信するテレビ番組を特定する番組特定情報を出力できる。
【００２２】
上記の目的を達成するために、本発明のサーバ装置は、テレビ放送を受信する端末装置と通信ネットワークを介して通信可能なサーバ装置であって、上記サーバ装置の動作を制御する第二制御手段を含み、上記第二制御手段は、上記端末装置の受信するテレビ番組を特定する番組特定情報と、上記端末装置を特定する端末特定情報とを関連づけた識別情報を上記端末装置から受信する第二受信手段を含むことを特徴とする。
【００２３】
上記構成によれば、上記第二制御手段は、端末装置が受信する番組を特定する番組特定情報と、上記端末装置を特定する端末特定情報とを関連づけた識別情報を受信している。よって、サーバ装置側からすれば、各々の端末装置からの識別情報を蓄積することにより、どの端末装置がどの番組を受信しているかを明確に特定することが可能となる。
【００２４】
本発明のサーバ装置は、上記構成に加えて、上記第二制御手段は、上記識別情報から特定されるテレビ番組に関連する関連情報を取得する関連情報取得手段と、上記識別情報から特定される端末装置に上記関連情報を送信する第二送信手段と、を含むことを特徴とする。
【００２５】
上記構成によれば、サーバ装置は、どの端末装置がどの番組を受信しているかを明確に特定することができるため、上記関連情報取得手段と上記第二送信手段とによって、端末装置に対して、この端末装置が受信しているテレビ番組に関連する関連情報を送信することができる。よって、端末装置側からすれば、受信しているテレビ番組に関連したインタラクティブなサービスを享受することができる。
【００２６】
本発明のサーバ装置は、上記構成に加えて、上記関連情報取得手段は、上記通信ネットワークを介して他のサーバ装置から上記関連情報を取得することを特徴とする。
【００２７】
上記構成によれば、上記関連情報取得手段は、他のサーバ装置から上記関連情報を取得している。したがって、通信ネットワーク上のあらゆるサイトまたはサーバ装置からテレビ番組に関連する情報を収集することができ、取得する関連情報の種類の幅を広げることが可能となる。
【００２８】
本発明のサーバ装置は、上記構成に加えて、上記関連情報は、他のサーバ装置のＵＲＬデータであることを特徴とする。
【００２９】
上記構成によれば、上記関連情報は、端末装置が受信するテレビ番組に関連する他のサーバ装置のＵＲＬ（Uniform Resource Locator）データになる。したがって、端末装置側からすれば、テレビ番組に関連するサーバ装置（サイト）に容易にアクセスすることが可能となり、より幅の広いサービスを享受することができる。
【００３０】
本発明のサーバ装置は、上記構成に加えて、上記第二制御手段は、個々の端末装置から受信した識別情報に基づき、所定のテレビ番組の視聴頻度を示す視聴パラメータを出力する視聴パラメータ出力手段を含むことを特徴とする。
【００３１】
上記構成によれば、上記識別情報には、受信したテレビ番組を特定する番組特定情報が含まれている。したがって、個々の端末装置から受信した識別情報を集計すれば、個々の端末装置において受信したテレビ番組を特定でき、所定のテレビ番組が視聴されている頻度を示すことができる。なお、視聴パラメータとは、例えば、視聴率、視聴者数、個々の視聴者の視聴時間、平均視聴時間等、所定のテレビ番組が視聴されている頻度を示すパラメータである。
【００３２】
本発明のサーバ装置は、上記構成に加えて、上記視聴パラメータ出力手段は、所定のテレビ番組の視聴率データを出力することを特徴とする。
【００３３】
上記構成によれば、個々の端末装置において受信したテレビ番組を特定できるため、所定のテレビ番組の視聴率データを出力できる。これにより、テレビ受信が可能な端末装置においての視聴率調査が可能となる。
【００３４】
本発明のサーバ装置は、上記構成に加えて、上記視聴パラメータ出力手段は、各端末装置の利用者の属性を示す属性情報を取得し、個々の利用者の属性毎に視聴率データを出力することを特徴とする。
【００３５】
上記構成によれば、上記視聴パラメータ出力手段は、各端末装置の利用者の属性を示す属性情報を取得しているため、個々の利用者の属性毎に視聴率データを出力することが可能である。端末装置では利用者と視聴者とが一致する傾向にあるため、個々の利用者の属性別に視聴率を測定して、測定結果をテレビ番組の制作にフィードバックすると、視聴者の属性に応じた番組制作が可能となる。なお、属性とは、例えば、利用者の性別、年齢、職業等をいう。
【００３６】
本発明のサーバ装置は、上記構成に加えて、上記番組特定情報は、上記端末装置の受信するテレビ番組の履歴を示す情報であり、上記視聴パラメータ出力手段は、端末装置毎に、所定のテレビ番組の視聴時間を示す視聴時間データを出力することを特徴とする。
【００３７】
上記構成によれば、上記番組特定情報が、上記端末装置の受信するテレビ番組の履歴を示す情報であるため、上記視聴パラメータ出力手段は、端末装置毎に、所定のテレビ番組の視聴時間を示す視聴時間データを出力できる。ここで、視聴パラメータ出力手段にて出力した視聴時間データを番組制作者側に提供すれば、制作者は自身のテレビ番組を贔屓にしている利用者の端末装置を特定するができ、この利用者に対してインタラクティブなサービスを展開できる。
【００３８】
上記の目的を達成するために、本発明の通信ネットワークシステムは、上記端末装置と、上記サーバ装置とが通信ネットワークを介して通信可能なものである。
【００３９】
上記構成によれば、上記端末装置は、受信するテレビ放送の番組を特定する番組特定情報と、上記端末装置を特定する端末特定情報とを関連づけた識別情報を出力している。そして、該識別情報は、端末装置から通信ネットワークを介してサーバ装置へ送信されることになる。よって、各端末装置からの識別情報をサーバ装置に蓄積することにより、どの端末装置がどの番組を受信しているかを明確に特定することが可能となる。
【００４０】
上記の目的を達成するために、本発明の端末装置の制御方法は、サーバ装置と通信ネットワークを介して通信可能な端末装置の制御方法であって、上記端末装置に含まれ、この端末装置の動作を制御する第一制御手段が実行するステップに、テレビ放送を受信するステップと、受信するテレビ放送の番組を特定する番組特定情報を出力するステップと、上記番組特定情報と、上記端末装置を特定する端末特定情報とを関連づけた識別情報を出力するステップと、上記識別情報を上記サーバ装置へ送信するステップと、を含むことを特徴とする。
【００４１】
上記方法によれば、受信するテレビ放送の番組を特定する番組特定情報と、上記端末装置を特定する端末特定情報とを関連づけた識別情報を出力している。そして、該識別情報は、端末装置から通信ネットワークを介してサーバ装置へ送信されることになる。よって、各端末装置の識別情報をサーバ装置に蓄積することにより、どの端末装置がどの番組を受信しているかを明確に特定することが可能となる。
【００４２】
上記の目的を達成するために、本発明のサーバ装置の制御方法は、テレビ放送を受信する端末装置と通信ネットワークを介して通信可能なサーバ装置の制御方法であって、上記サーバ装置に含まれ、このサーバ装置の動作を制御する第二制御手段が実行するステップに、上記端末装置の受信するテレビ番組を特定する番組特定情報と、上記端末装置を特定する端末特定情報とを関連づけた識別情報を上記端末装置から受信するステップを含むことを特徴とする。
【００４３】
上記方法によれば、端末装置が受信する番組を特定する番組特定情報と、上記端末装置を特定する端末特定情報とを関連づけた識別情報を受信できる。よって、各端末装置からの識別情報をサーバ装置に蓄積することにより、どの端末装置がどの番組を受信しているかを明確に特定することが可能となる。
【００４４】
上記の目的を達成するために、本発明の通信ネットワークシステムの制御方法は、端末装置とサーバ装置とが通信ネットワークを介して通信可能な通信ネットワークシステムの制御方法であって、上記端末装置に含まれ、この端末装置の動作を制御する第一制御手段が実行するステップに、テレビ放送を受信するステップと、受信するテレビ放送の番組を特定する番組特定情報を出力するステップと、上記番組特定情報と上記端末装置を特定する端末特定情報とを関連づけた識別情報を出力するステップと、上記識別情報を上記サーバ装置へ送信するステップと、を含み、上記サーバ装置に含まれ、このサーバ装置の動作を制御する第二制御手段が実行するステップに、上記識別情報を上記端末装置から受信するステップを含むことを特徴とする。
【００４５】
上記方法によれば、上記端末装置は、受信するテレビ放送の番組を特定する番組特定情報と、上記端末装置を特定する端末特定情報とを関連づけた識別情報を出力している。そして、該識別情報は、端末装置から通信ネットワークを介してサーバ装置へ送信されることになる。よって、各々の端末装置の識別情報をサーバ装置に蓄積することにより、どの端末装置がどの番組を受信しているかを明確に特定することが可能となる。
【００４６】
上記の目的を達成するために、本発明のプログラムは、上述した端末装置の第一制御手段に含まれる機能をコンピュータで実現するプログラムである。また、上記の目的を達成するために、本発明のプログラムは、上述したサーバ装置の第二制御手段に含まれる機能をコンピュータで実現するプログラムである。
【００４７】
上記の目的を達成するために、本発明のプログラムを記録した記録媒体は、上述した端末装置の第一制御手段に含まれる機能をコンピュータで実現するものである。また、上記の目的を達成するために、本発明のプログラムを記録した記録媒体は、上述したサーバ装置の第二制御手段に含まれる機能をコンピュータで実現するものである。
【発明の効果】
【００４８】
以上のように、本発明の端末装置は、サーバ装置と通信ネットワークを介して通信可能な端末装置であって、上記端末装置の動作を制御する第一制御手段を含み、上記第一制御手段は、テレビ放送を受信するテレビ放送受信手段と、受信するテレビ放送の番組を特定する番組特定情報を出力する番組特定情報出力手段と、上記番組特定情報と、上記端末装置を特定する端末特定情報とを関連づけた識別情報を出力する識別情報出力手段と、上記識別情報を上記サーバ装置へ送信する第一送信手段と、を含むことを特徴とする。
【００４９】
これにより、各々の端末装置からの識別情報をサーバ装置に蓄積することにより、サーバ装置側からすれば、どの端末装置がどのテレビ番組を受信しているかを明確に特定することが可能になるという効果を奏する。
【００５０】
以上のように、本発明のサーバ装置は、テレビ放送を受信する端末装置と通信ネットワークを介して通信可能なサーバ装置であって、上記サーバ装置の動作を制御する第二制御手段を含み、上記第二制御手段は、上記端末装置の受信するテレビ番組を特定する番組特定情報と、上記端末装置を特定する端末特定情報とを関連づけた識別情報を上記端末装置から受信する第二受信手段を含むことを特徴とする。
【００５１】
これにより、サーバ装置側からすれば、各々の端末装置からの識別情報を蓄積することにより、どの端末装置がどの番組を受信しているかを明確に特定することが可能になるという効果を奏する。
【００５２】
以上のように、本発明の通信ネットワークシステムは、上記端末装置と、上記サーバ装置とが通信ネットワークを介して通信可能なものである。
【００５３】
これにより、各端末装置からの識別情報をサーバ装置に蓄積することにより、どの端末装置がどの番組を受信しているかを明確に特定することが可能となるという効果を奏する。
【００５４】
以上のように、本発明の端末装置の制御方法は、サーバ装置と通信ネットワークを介して通信可能な端末装置の制御方法であって、上記端末装置に含まれ、この端末装置の動作を制御する第一制御手段が実行するステップに、テレビ放送を受信するステップと、受信するテレビ放送の番組を特定する番組特定情報を出力するステップと、上記番組特定情報と、上記端末装置を特定する端末特定情報とを関連づけた識別情報を出力するステップと、上記識別情報を上記サーバ装置へ送信するステップと、を含むことを特徴とする。
【００５５】
これにより、各端末装置の識別情報をサーバ装置に蓄積することにより、どの端末装置がどの番組を受信しているかを明確に特定することが可能になるという効果を奏する。
【００５６】
以上のように、本発明のサーバ装置の制御方法は、テレビ放送を受信する端末装置と通信ネットワークを介して通信可能なサーバ装置の制御方法であって、上記サーバ装置に含まれ、このサーバ装置の動作を制御する第二制御手段が実行するステップに、上記端末装置の受信するテレビ番組を特定する番組特定情報と、上記端末装置を特定する端末特定情報とを関連づけた識別情報を上記端末装置から受信するステップを含むことを特徴とする。
【００５７】
これにより、各端末装置からの識別情報をサーバ装置に蓄積することにより、どの端末装置がどの番組を受信しているかを明確に特定することが可能になるという効果を奏する。
【００５８】
以上のように、本発明の通信ネットワークシステムの制御方法は、端末装置とサーバ装置とが通信ネットワークを介して通信可能な通信ネットワークシステムの制御方法であって、上記端末装置に含まれ、この端末装置の動作を制御する第一制御手段が実行するステップに、テレビ放送を受信するステップと、受信するテレビ放送の番組を特定する番組特定情報を出力するステップと、上記番組特定情報と上記端末装置を特定する端末特定情報とを関連づけた識別情報を出力するステップと、上記識別情報を上記サーバ装置へ送信するステップと、を含み、上記サーバ装置に含まれ、このサーバ装置の動作を制御する第二制御手段が実行するステップに、上記識別情報を上記端末装置から受信するステップを含むことを特徴とする。
【００５９】
これにより、各々の端末装置の識別情報をサーバ装置に蓄積することにより、どの端末装置がどの番組を受信しているかを明確に特定することが可能になるという効果を奏する。
【発明を実施するための最良の形態】
【００６０】
本発明の各実施の形態を以下に説明する。なお、以下に示す各実施の形態において、通信ネットワークを介して通信が可能な端末装置として、携帯型電話機を例にして説明するが、本発明の端末装置は携帯型電話機に限定されるものではない。本発明の端末装置は、通信ネットワークを介して通信が可能な手段が含まれると共に、テレビ放送受信アプリケーションがインストールされているものであれば、いかなるものであってもよい。例えば、携帯電話機以外に、ＰＨＳ，ＰＤＡ，ＰＣ等が含まれる。
【００６１】
ここで、本実施の形態におけるテレビ放送受信アプリケーションとは、テレビ放送を受信すると共に、受信したテレビ放送における画像を表示部に表示する機能を実現するためのプログラム（応用ソフトウエア）をいう。
【００６２】
〔実施の形態１〕
本発明の一実施形態について図面に基づいて説明すると以下の通りである。
【００６３】
図２は、本発明の実施形態に係る通信ネットワークシステム（以下、単に「通信システム」とする）１の構成を示した概略図である。
【００６４】
図２の通信システム１では、携帯型電話機（端末装置）２・・・、外部サーバ装置（サーバ装置）３、コンテンツプロバイダ４内のサーバ装置７ｂ、ＴＶ局（テレビ局）６内のサーバ装置７ａが、互いにインターネット（通信ネットワーク）８を介して通信を行えるように構成されている。
【００６５】
ここで、携帯型電話機２は、無線基地局およびインターネットサービスプロバイダ等をを経由してインターネットに接続される。また、携帯型電話機２には、テレビ放送受信アプリケーションがインストールされ、ＴＶ局６から放送信号（アナログ放送用地上波、テレビ放送用電波）を受信するアンテナ・チューナ部が備えられているものとする。
【００６６】
この通信システム１においては、後述するが、ＴＶ局６が放送するテレビ番組に関する関連情報を、番組放送前に予めサーバ装置７ａまたは７ｂから、インターネット８経由で外部サーバ装置３へ配信する。そして、外部サーバ装置３は、上記テレビ番組を受信している携帯型電話機２からの要求に応じて、上記テレビ番組の関連情報を携帯型電話機２へ送信する。
【００６７】
ここで、関連情報とは、上述したように放送されているテレビ番組に関連する情報をいうが、例えば、ＴＶ局６が放送するテレビ番組に関連するコンテンツのデータ（コンテンツデータ），ＴＶ局６が放送するテレビ番組に関連するＵＲＬ等を意味する。
【００６８】
このコンテンツとして、例えば、番組で演奏されている音楽の着信メロディのデータ（いわゆる携帯型電話用の着メロ（登録商標））、番組に出演しているアーティスト，俳優，芸人に関する催し・商品を示す情報、スポーツ中継における各チームや各選手のデータ・商品・次回のゲーム開催日時・場所を示す情報、グルメ番組における料理店の場所を示す情報等がある。
【００６９】
なお、上記の「アーティスト，俳優，芸人に関する催し・商品を示す情報」とは、例えば、コンサート、映画、演劇のリリース・場所・料金・チケット販売先を示す情報、ＣＤ，ＤＶＤの販売日時等を示す情報、俳優等のブロマイド画像等をいい、「スポーツ中継における各チームや各選手のデータ・商品」とは、各チーム・各選手の成績を示す情報、各選手のブロマイド画像等をいう。
【００７０】
また、テレビ番組に関連するＵＲＬとは、放送されているテレビ番組に関連するサイトのＵＲＬであり、例えば、音楽番組に対する着信メロディの配信サイト、番組に出演しているアーティスト、俳優、芸人の動画／静止画の配信サイト、テレビ番組を放送しているＴＶ局のＵＲＬ等がある。
【００７１】
つぎに、通信システム１の各構成要素について順に説明していくが、まず、携帯型電話機２の詳細について説明する。図１は、通信システム１における携帯型電話機２の機能ブロック図である。本実施の形態の携帯型電話機２は、テレビ放送受信アプリケーションによりテレビ番組の視聴が可能な構成であり、図１に示すように、アンテナ・チューナ部１０、ネットワークＩ／Ｆ（Interface）部１１、ＧＰＳ（Global Positioning System，全地球測位システム）受信部９、制御部１２、記憶部１３、表示部１５、操作部１６を備えている。
【００７２】
アンテナ・チューナ部１０は、所要のチャンネルに係る放送信号を選択して受信すると共に、この放送信号を映像信号および音声信号に変換して制御部１２へ送信するユニットである。なお、本実施の形態ではＴＶ局６からの放送信号を受信しているものとする。
【００７３】
ネットワークＩ／Ｆ部１１は、制御部１２から出力される各種データを、インターネット８を介して外部サーバ装置３、サーバ装置７ａ・７ｂへ送信するためのインターフェイスである。また、ネットワークＩ／Ｆ部１１は、インターネット８を介して外部サーバ装置３、サーバ装置７ａ・７ｂから各種データを受信するためのインターフェイス部でもある。
【００７４】
ＧＰＳ受信部９は、携帯型電話機２の位置を示す位置情報を人工衛星から受信し、この位置情報を制御部１２へ送信するブロックである。
【００７５】
表示部１５は、液晶パネルおよび駆動ドライバから構成される液晶表示装置である。表示部１５には、制御部１２からの信号、データに基づいて、テレビ放送の画像やインターネット８を介して取得した画像が表示される。なお、表示部１５として、液晶表示装置に限定されず、有機ＥＬ（Electro Luminescence）ディスプレィ、無機ＥＬディスプレィ、またはプラズマディスプレィ等であってもよい。
【００７６】
操作部１６は、携帯型電話機２の表面に設けられた複数の操作キーで構成される。この操作キーを用いた入力指令は、一旦、制御部１２に送られる。
【００７７】
制御部（第一制御手段）１２は、上述した携帯型電話機２内における各種構成の動作を統括的に制御するものである。そして、各種構成の動作制御は、制御プログラム、テレビ放送受信アプリケーション等をコンピュータに実行させることによって行われる。このプログラム、アプリケーションを実行する形態としては、例えばフラッシュメモリーなどの不揮発性の記憶手段に記録されているものを読み出して使用する形態が考えられる。
【００７８】
記憶部１３は、例えば、フラッシュメモリーなどの不揮発性の記憶手段によって構成されるものである。この記憶部１３に記憶される内容としては、上記した制御プログラム、ＯＳ(Operating System)プログラム、テレビ放送受信アプリケーション、ネットワークＩ／Ｆ部１１を介して入力した各種情報、携帯型電話機２における各種情報が含まれる。
【００７９】
つぎに、制御部１２および記憶部１３の詳細な構成について説明する。制御部１２は、ネットワーク通信制御部１７、チューナ制御部１８、表示制御部１９、ＧＰＳ制御部２０、番組特定情報取得部２１、携帯特定情報出力部２２、識別情報出力部２３を備えている。なお、記憶部１３には、外部サーバ装置３から送られてきたコンテンツデータを保存するためのコンテンツデータ記憶領域２５、携帯型電話機２のメールアドレス（端末特定情報）が保存されているメールアドレス記憶領域２４が備えられている。
【００８０】
ネットワーク通信制御部（第一送信手段、第一受信手段）１７は、識別情報出力部２３から出力する識別情報（後述する）を外部サーバ装置３へ向けて送信する制御を行うと共に、外部サーバ装置３から受信するコンテンツデータを表示制御部１９およびコンテンツデータ記憶領域２５へ送信する制御を行う。また、ネットワーク通信制御部１７は、番組特定情報取得部２１からの要求に応じて、インターネット８上のＥＰＧサーバからＥＰＧデータを取得し、番組特定情報取得部２１へ送信する制御を行う。
【００８１】
チューナ制御部（テレビ放送受信手段）１８は、アンテナ・チューナ部１０を制御することにより、テレビ放送を受信するためのブロックである。具体的に、チューナ制御部１８は、操作部１６から入力されるチャンネル変更指示情報（利用者のチャンネル変更指示）を検知すると共に、この指示情報に基づいたテレビチャンネルの放送信号を受信するようにアンテナ・チューナ部１０を制御する。また、チューナ制御部１８は、アンテナ・チューナ部１０から映像信号および音声信号を受け取ると共に、映像信号を表示制御部１９へ送信すると共に、音声信号を図示しないスピーカへ送信する。
【００８２】
表示制御部１９は、表示部１５におけるドライバ回路を制御することにより、携帯型電話機２における種々の画像を表示部１５に表示する制御を行うブロックである。特に、表示制御部１９は、チューナ制御部１８から送られてきた映像信号に基づいて、テレビ番組の画像を表示部１５に表示する。また、表示制御部１９は、コンテンツデータ記憶領域２５に格納されているコンテンツデータに基づき、コンテンツ画像を表示部１５に表示する。
【００８３】
ＧＰＳ制御部２０は、ＧＰＳ受信部９から上述した位置情報を取得し、携帯型電話機２がテレビ放送を受信している地域を示す受信地域情報（例えば、京都，大阪，兵庫，・・・，東京等の都道府県別の地域）を出力するブロックである。
【００８４】
番組特定情報取得部（番組特定情報出力手段）２１は、携帯型電話機２において受信しているテレビ番組を特定するための番組特定情報を出力して識別情報出力部２３へ送信するブロックである。以下、番組特定情報を出力する処理について具体的に説明する。まず、番組特定情報取得部２１は、携帯型電話機２の利用者が指示するタイミングを操作部１６から検知する。そして、番組特定情報取得部２１は、このタイミングにて、受信しているテレビ番組のチャンネルを示すチャンネル情報をチューナ制御部１８より取得し、上記受信地域情報をＧＰＳ制御部２０より取得し、このタイミングを示す時刻を受信時刻情報としてタイマーから取得する。そして、番組特定情報取得部２１は、ネットワーク通信制御部１７を介してインターネット８からＥＰＧデータを取得すると共に、ＥＰＧデータを参照して、上述したチャンネル情報，受信地域情報，受信時刻情報に合致するテレビ番組を特定する番組特定情報を出力する。
【００８５】
携帯特定情報出力部２２は、記憶部１３のメールアドレス記憶領域２４から、携帯型電話機２のメールアドレスを読み出し、このメールアドレスを識別情報出力部２３へ送信するブロックである。
【００８６】
識別情報出力部（識別情報出力手段）２３は、携帯特定情報出力部２２から送られてきたメールアドレスと、番組特定情報取得部２１からの番組特定情報とを関連づけた識別情報を出力し、ネットワーク通信制御部１７へ送信するブロックである。
【００８７】
つぎに、通信システム１の外部サーバ装置３の詳細について説明する。図４（ａ）は、外部サーバ装置３の機能ブロック図である。外部サーバ装置３は、携帯型電話機２に対してテレビ放送受信アプリケーションを提供している業者のサーバ装置であって、制御部３０、記憶部３４を備える構成である。
【００８８】
制御部（第二制御手段）３０は、外部サーバ装置３内における各種構成の動作を統括的に制御するものであり、ネットワーク通信制御部３１、コンテンツデータ取得部３２、コンテンツデータ書込部３３を備えている。また、制御部３０の動作制御は制御プログラムを実行することにより行われる。
【００８９】
記憶部３４は、ハードディスクなどの不揮発性の記憶装置によって構成されるものである。この記憶部３４に記憶される内容としては、上記した制御プログラム、携帯型電話機２に対して送信すべきコンテンツデータが挙げられる。なお、記憶部３４においては、テレビ番組毎に、各々のテレビ番組に関連するコンテンツデータが、各々のテレビ番組を特定するための番組特定情報に対応づけられて格納されている。
【００９０】
ネットワーク通信制御部（第二受信手段、第二送信手段）３１は、インターネット８を介した情報の送受信を制御するブロックである。具体的に、ネットワーク通信制御部３１は、携帯型電話機２からの識別情報を受信してコンテンツデータ取得部３２に送信すると共に、コンテンツデータ取得部３２から送られてきたコンテンツデータを携帯型電話機２へ送信するブロックである。また、ネットワーク通信制御部３１は、サーバ装置７ａまたは７ｂから配信されるコンテンツデータを受信して、これをコンテンツデータ書込部３３へ送信するブロックである。
【００９１】
コンテンツデータ取得部（関連情報取得手段）３２は、上記識別情報に含まれる番組特定情報を検出し、この番組特定情報に対応づけられた記憶されているコンテンツデータを記憶部３４から取得する制御を行うブロックである。
【００９２】
コンテンツデータ書込部３３は、サーバ装置７ａまたは７ｂから配信されるコンテンツデータを記憶部３４に書き込む制御を行うブロックである。
【００９３】
つぎに、通信システム１のサーバ装置７ａについて説明する。なお、サーバ装置７ｂはサーバ装置７ａと同一の構成であるため、サーバ装置７ｂの説明は省略する。
【００９４】
図４（ｂ）は、サーバ装置７ａの機能ブロック図である。図４（ｂ）のサーバ装置７ａは、図４（ａ）の外部サーバ装置３と比べ、コンテンツデータ配信部３５、操作部３６が備えられている点、コンテンツデータ書込部３３が備えられていない点が異なるだけで、その他の構成は同一である。したがって、ここではコンテンツデータ配信部３５、操作部３６のみを説明し、その他の構成の説明は省略する。
【００９５】
コンテンツデータ配信部３５は、操作部３６から、配信すべきコンテンツデータを特定する情報，該コンテンツデータに関連するテレビ番組を特定する番組特定情報，配信先の外部サーバ装置３を識別する情報（例えば、ＵＲＬ等）を含んだ配信情報を入力する。そして、コンテンツデータ配信部３５は、この配信情報から特定されるコンテンツデータを記憶部３４ａから読み出し、ネットワーク通信制御部（第二受信手段）３１ａおよびインターネット８を介してこのコンテンツデータを外部サーバ装置３へ配信する。
【００９６】
つぎに、携帯型電話機２において、テレビ放送受信アプリケーションを起動した場合に、表示部１５に表示される画面について説明する。図５は、携帯型電話機２の表示部１５において表示されるテレビ鑑賞用画像３７の一例を示した模式図である。
【００９７】
携帯型電話機２においてテレビ放送受信アプリケーションを起動すると、図５に示すテレビ鑑賞用画像３７が表示部１５に表示される。テレビ鑑賞用画像３７には、テレビ画像領域３７ａ，メッセージ表示領域３７ｂ，キャプチャー取得ボタン３７ｃ，情報取得ボタン３７ｄ，チャンネル切替ボタン３７ｅ，終了ボタン３７ｆが含まれる。
【００９８】
テレビ画像領域３７ａは、チューナ制御部１８，表示制御部１９から入力される映像信号に基づいたテレビ画像が表示される領域である。メッセージ表示領域３７ｂは、インターネット８を介して得られた情報、携帯型電話機２における各種情報、電子メールメッセージ等が表示される領域である。
【００９９】
例えば、メッセージ表示領域３７ｂには、図６（ａ）に示すように、外部サーバ装置３から送信されるコンテンツ画像（同図では音楽番組に出演しているアーティストのＣＤ販売状況、映画を示す情報）が表示される。
【０１００】
キャプチャー取得ボタン３７ｃは、テレビ画像領域３７ａに表示されているテレビ画像から静止画像を取得するキャプチャー機能を実行するためのボタンである。つまり、利用者がキャプチャー取得ボタン３７ｃをクリックすると、テレビ画像領域３７ａに表示されているテレビ画像から静止画像が記録される。なお、上記の「クリック」とは、携帯型電話機２のカーソル移動指示ボタン（例えば、上下左右方向を示す十字キー、回転キー等）を操作し、画面上の選択状態を示すカーソルを移動させた後に、決定キー(確定キー)を押すことを意味する（以降に記される「クリック」も同様）。
【０１０１】
また、上記のキャプチャー機能が実行された時は、図６（ｃ）に示すように、静止画像の取得元となるテレビ画像のチャンネル、静止画像取得時刻等をメッセージ表示領域３７ｂに表示してもよい。
【０１０２】
情報取得ボタン３７ｄは、テレビ画像領域３７ａに表示されているテレビ番組に関連するコンテンツ画像を外部サーバ装置３から取得するためのボタンである。つまり、利用者が情報取得ボタン３７ｄをクリックすると、携帯型電話機２から外部サーバ装置３へ上記識別情報が送信されると共に、コンテンツデータが外部サーバ装置３から携帯型電話機２に送信される。
【０１０３】
チャンネル切替ボタン３７ｅは、受信するテレビ放送のチャンネルを切り替えるためのボタンである。つまり、利用者がチャンネル切り替えボタン３７ｅをクリックすると、操作部１６はチューナ制御部１８へチャンネル変更指示情報を入力する。
【０１０４】
終了ボタン３７ｆは、テレビ放送受信アプリケーションを終了するためのボタンである。
【０１０５】
つぎに、通信システム１における処理フローについて、図７に基づいて説明する。以下では、ＴＶ局６が音楽番組を放送すると共に、携帯型電話機２の利用者がテレビ放送受信アプリケーションによって、該音楽番組を鑑賞するものとする。また、外部サーバ装置３は、該音楽番組に出演するアーティストのＣＤ販売状況を示すコンテンツ画像を携帯型電話機２へ送信するものとする。
【０１０６】
まず、上記音楽番組が放送される前の処理（サーバ装置７ａと外部サーバ装置３との通信）について説明する。
【０１０７】
ステップ１（以下、「Ｓ１」のように称する）において、上記ＣＤ販売情報のコンテンツデータが、ＴＶ局６のサーバ装置７ａの記憶部３４ａに保存される。この保存作業は、サーバ装置７ａにおいて、上記コンテンツデータをリムーバブルな記憶媒体から記憶部３４ａに書き写す作業であってもよいし、操作部３６から直接入力する作業であってもよい。また、記憶部３４ａ自体がリムーバブルな記憶メディアであって、記憶部３４ａをサーバ装置７ａへ格納する作業であってもよい。
【０１０８】
つぎに、サーバ装置７ａの管理者が、操作部３６から配信情報を入力する（Ｓ２）。この配信情報には、ＴＶ局６が放送する音楽番組を特定する番組特定情報，配信先の外部サーバ装置３を特定する情報，配信するコンテンツデータを示す情報が含まれている。
【０１０９】
さらに、コンテンツデータ配信部３５が、上記配信情報に示されるコンテンツデータを記憶部３４から読み出すと共に、上記配信情報に示される外部サーバ装置３へ、このコンテンツデータおよび配信情報を送信する（Ｓ３）。
【０１１０】
これにより、上記配信情報および上記ＣＤ販売情報は、ネットワーク通信制御部３１ａ、インターネット８、ネットワーク通信制御部３１を介して、外部サーバ装置３のコンテンツデータ書込部３３へ送信される。さらに、コンテンツデータ書込部３３は、上記配信情報に示される番組特定情報と上記コンテンツデータとを対応づけて、記憶部３４へ保存する（Ｓ４）。
【０１１１】
つぎに、ＴＶ局６から音楽番組の放送が開始された後の処理（携帯型電話機２と外部サーバ装置３との通信）について説明する。
【０１１２】
まず、携帯型電話機２の利用者が、テレビ放送受信アプリケーションを起動させると、携帯型電話機２の表示部１５においてテレビ鑑賞用画像３７が表示される。そして、利用者がチャンネル切替ボタン３７ｅをクリックすることにより、ＴＶ局６のチャンネルが選択されると、チューナ制御部１８は、ＴＶ局６からの放送信号を受信するようにアンテナ・チューナ部１０を制御する。さらに、アンテナ・チューナ部１０が、受信した放送信号から映像信号を出力し、この映像信号をチューナ制御部１８へ送信する。そして、チューナ制御部１８は、この映像信号を表示制御部１９へ入力し、表示制御部１９は、この映像信号に基づいて表示部１５にテレビ画像を表示することになる（Ｓ５）。これにより、テレビ画像領域３７ａ上において、音楽番組が表示される。
【０１１３】
ここで、テレビ番組が表示されている間、携帯型電話機２における番組特定情報取得部２１は、テレビ鑑賞用画像３７上の情報取得ボタン３７ｄがクリックされたか否かを判定し続けている（Ｓ６）。そして、テレビ画像を鑑賞している利用者が、情報取得ボタン３７ｄをクリックすると（Ｓ６，ＹＥＳ）、番組特定情報取得部２１が、このクリックのタイミングで番組特定情報を出力する（Ｓ７）。なお、クリックされていないと判定される場合はＳ５が繰り返される（Ｓ６，ＮＯ）。
【０１１４】
さらに、識別情報出力部２３が、上記番組特定情報と、携帯特定情報出力部２２から送られるメールアドレスとを対応づけた識別情報を出力する（Ｓ８）。そして、出力された識別情報は、ネットワーク通信制御部１７，ネットワークＩ／Ｆ部１１，インターネット８を介して外部サーバ装置３へ伝送される（Ｓ９）。
【０１１５】
外部サーバ装置３においては、ネットワーク通信制御部３１が、上記識別情報を受信すると共に、この識別情報をコンテンツデータ取得部３２へ入力する。識別情報を入力したコンテンツデータ取得部３２は、この識別情報に含まれる番組特定情報を検出し、検出した番組特定情報に対応づけられて保存されているコンテンツデータを記憶部３４から読み出し（Ｓ１０）、読み出したコンテンツデータをネットワーク通信制御部３１へ入力する。
【０１１６】
ネットワーク通信制御部３１は、入力したコンテンツデータを、上記識別情報に含まれるメールアドレスに基づいて送信する。これにより、このコンテンツデータは、外部サーバ装置３から携帯型電話機２へ送られることになる（Ｓ１１）。
【０１１７】
そして、携帯型電話機２のネットワーク通信制御部１７は、外部サーバ装置３からのコンテンツデータを受信し、このコンテンツデータを表示制御部１９およびコンテンツデータ記憶領域２５へ送る。さらに、表示制御部１９は、このコンテンツデータに基づいたコンテンツ画像をメッセージ表示領域３７ｂに表示させる（Ｓ１２）。なお、以上示したＳ６〜Ｓ１２の間、テレビ画像領域に該音楽番組が表示されつづけてもいいし、利用者からの要求により別のチャンネルのテレビ番組を表示してもよい。
【０１１８】
ここで、表示部１５において表示されるコンテンツ画像の例を図６（ａ）に示す。同図におけるコンテンツ画像は、該音楽番組に出演するアーティストのＣＤ販売状況等を示した画像である。
【０１１９】
つまり、以上示した処理フローによれば、携帯型電話機２を用いて音楽テレビ番組を鑑賞している利用者が、任意のタイミングで情報取得ボタン３７ｄをクリックすると、当該音楽番組に出演しているアーティストのＣＤ販売状況等を示したコンテンツ画像をメッセージ表示領域３７ｂに表示させると共に、このコンテンツ画像のデータを携帯型電話機２の記憶部１３に保存させる。
【０１２０】
したがって、携帯型電話機２の利用者が、携帯型電話機２を用いてテレビ番組を鑑賞している場合、該テレビ番組に関連するコンテンツを簡単なボタン操作で取得することができる。また、ＴＶ局６側からすれば、放送予定のテレビ番組に関するコンテンツデータを予め外部サーバ装置３へ配信させておくことで、携帯型電話機２を用いて当該テレビ番組を鑑賞する者に対して、当該テレビ番組に関連したコンテンツを提供でき、インタラクティブなサービスを展開することができる。
【０１２１】
また、以上の通信システムによれば、アーティストのＣＤ販売状況を示した画像をコンテンツとしているが、その他、携帯型電話機２が受信しているテレビ番組に関するものであって、インターネット８を介して送信可能なものであればいかなるコンテンツであってもよい。
【０１２２】
例えば、画像以外のコンテンツとして着信メロディが挙げられる。以下、着信メロディをコンテンツとする場合の実施例について説明する。例えば、携帯型電話機２において受信されているテレビ番組が音楽番組であるとする。そして、携帯型電話機２の利用者が、該音楽番組で演奏されている音楽に関する情報を所望し、上述した情報取得ボタン３７ｄをクリックしたものとする。この時、携帯型電話機２から外部サーバ装置３へ上記識別情報が送信され、この識別情報を受けた外部サーバ装置３は、携帯型電話機２へ、着信メロディデータのダウンロードを促すための画像をコンテンツとして送信する。この画像とは、例えば、図６（ｂ）に示すように、着信メロディのダウンロードを行うためのボタンを示した画像である。
【０１２３】
そして、携帯型電話機２の表示制御部１９が、図６（ｂ）に示す画像をメッセージ表示領域３７ｂに表示する。ここで、携帯型電話機２の利用者が、図６（ｂ）の「この歌の着信メロディをダウンロードする」ボタンをクリックすると、ダウンロードの要求指示を含めた識別情報が携帯型電話機２から外部サーバ装置３へ送信され、この識別情報を受けた外部サーバ装置３から携帯型電話機２へコンテンツとしての着信メロディのデータがダウンロードされる。
【０１２４】
また、以上の通信システム１によれば、携帯型電話機２から外部サーバ装置３へ識別情報を送信し、この識別情報を受けた外部サーバ装置３から携帯型電話機２へコンテンツデータを送信する構成になっているが、携帯型電話機２からサーバ装置７ａまたは７ｂへ識別情報を送信し、この識別情報を受けたサーバ装置７ａまたは７ｂから携帯型電話機２へコンテンツデータを送信する構成にしてもよい。つまり、この構成によれば、ＴＶ局６のサーバ装置７ａまたはコンテンツプロバイダ４のサーバ装置７ｂから携帯型電話機２へ、テレビ番組に関連するコンテンツを直接送信することになる。以下では、ＴＶ局６のサーバ装置７ａから携帯型電話機２へコンテンツデータを送信する形態について、図４（ｂ）に基づいて説明する。
【０１２５】
まず、携帯型電話機２からサーバ装置７ａへ識別情報が送信されると、サーバ装置７ａにおけるネットワーク通信制御部３１ａは、この識別情報を受信すると共に、コンテンツデータ取得部３２ａへ入力する。そして、コンテンツデータ取得部３２ａは、この識別情報に含まれるテレビ番組特定情報から特定される番組に関するコンテンツデータを記憶部３４ａから読み出し、読み出したコンテンツデータをネットワーク通信制御部３１ａへ入力する。さらに、ネットワーク通信制御部３１ａは、入力したコンテンツデータを、上記識別情報に含まれるメールアドレスに基づいて送信する。これにより、このコンテンツデータは、ＴＶ局６のサーバ装置７ａから携帯型電話機２へ送られることになる。
【０１２６】
また、外部サーバ装置３から携帯型電話機２へ送信されるコンテンツデータは、サーバ装置７ａまたは７ｂのＵＲＬデータであってもよい。この実施例について、図２，図４を用いて以下説明する。まず、ＴＶ局６において、所定のテレビ番組に関連するコンテンツデータをサーバ装置７ａの記憶部３４ａに予め格納させておく。これと共に、外部サーバ装置３において、上記所定のテレビ番組を特定する番組特定情報とサーバ装置７ａのＵＲＬデータとを対応づけて記憶部３４に予め格納させておく。なお、記憶部３４に格納されているＵＲＬデータは、予めサーバ装置７ａから外部サーバ装置３へ配信されたものである。
【０１２７】
そして、上述した所定のテレビ番組を受信している携帯型電話機２から外部サーバ装置３へ識別情報が送信されると、外部サーバ装置３のコンテンツデータ取得部３２は、該識別情報に基づいて、上記ＵＲＬデータを記憶部３４から読み出す。さらに、読み出されたＵＲＬデータが外部サーバ装置３から携帯型電話機２へ送られると、携帯型電話機２の表示制御部１９は、このＵＲＬデータをメッセージ表示領域３７ｂに表示する。ここで、携帯型電話機２の利用者が、該ＵＲＬへのアクセスの指示を操作部１６から入力すると、インターネット８を介して携帯型電話機２とＴＶ局６のサーバ装置７ａとが接続される。これにより、サーバ装置７ａの記憶部３４ａに格納されているコンテンツデータを携帯型電話機２へ送信することができる。
【０１２８】
また、以上では、外部サーバ装置３から携帯型電話機２へ送信されるコンテンツデータが、サーバ装置７ａのＵＲＬデータである場合について説明したが、サーバ装置７ａ・７ｂ以外の図示しないサーバ装置のＵＲＬデータであっても構わない。例えば、外部サーバ装置３から携帯型電話機２へ送信されるコンテンツデータを、テレビ番組の内容に関連するサイトのＵＲＬデータとすると、携帯型電話機２において、受信しているテレビに関連するサイトへ接続することが可能となる。なお、テレビ番組の内容に関連するサイトとしては、音楽番組に対する着信メロディの配信サイト、番組に出演しているアーティスト、俳優、芸人の動画／静止画の配信サイト等である。
【０１２９】
また、以上では、外部サーバ装置３の記憶部３４に記憶されているコンテンツデータは、サーバ装置７ａまたは７ｂからインターネット８を介して配信されたものであり、コンテンツデータ取得部３２は、記憶部３４から上記コンテンツデータを取得している。ここで、コンテンツデータ取得部３２は、記憶部３４を介さずに、サーバ装置７ａまたは７ｂからインターネット８を介してコンテンツデータを取得してもよい。また、コンテンツデータ取得部３２は、サーバ装置７ａまたは７ｂ以外の他のサーバ装置（図示せず）からコンテンツデータを取得してもよい。これにより、外部サーバ装置３においては、インターネット８上のあらゆるサイトまたはサーバ装置からテレビ番組に関連するコンテンツデータを収集することができ、取得するコンテンツデータの種類の幅を広げることが可能となる。
【０１３０】
また、外部サーバ装置３から携帯型電話機２へ送信されるコンテンツデータとして、例えば、図６（ｄ）に示すように、「プレゼント応募申し込み」ボタンを示す画像データであっても構わない。例えば、携帯型電話機２のメッセージ表示領域３７ｂにこの画像が表示され、携帯型電話機２の利用者が「プレゼント応募申し込み」ボタンをクリックすると、携帯型電話機２とＴＶ局６のサーバ装置７ａとが接続されるようにする。そして、携帯型電話機２の利用者が、個人情報を携帯型電話機２からサーバ装置７ａへ送信することにより、プレゼント応募を所望していることをサーバ装置７ａ側において検知させるようにすればよい。これにより、ＴＶ局６からすれば、自局の番組を鑑賞している利用者に対しプレゼントを提供することが可能になる。
【０１３１】
また、以上の通信システム１によれば、携帯型電話機２において、上述したチャンネル情報，受信地域情報，受信時刻情報を基に、ＥＰＧデータを参照して番組特定情報を出力する処理を行っているが、当該処理を外部サーバ装置３で行う構成であってもよい。この構成について、以下、簡単に説明する。
【０１３２】
まず、携帯型電話機２において、受信しているテレビ番組に関するチャンネル情報，受信地域情報，受信時刻情報を出力し、これら情報と携帯型電話機２のメールアドレスとを関連づけた識別情報を外部サーバ装置３へ送信する。そして、外部サーバ装置３の制御部３０において、受信した識別情報に含まれるチャンネル情報，受信地域情報，受信時刻情報を基に、ＥＰＧデータを参照して番組特定情報を出力する。このようにすれば、携帯型電話機２において、ＥＰＧデータをダウンロードしなくても、外部サーバ装置３において、携帯型電話機２が受信しているテレビ番組を特定することが可能となる。
【０１３３】
また、以上の通信システムによれば、チャンネル情報，受信地域情報，受信時刻情報を基に、ＥＰＧデータを参照して番組特定情報を出力しているが、チャンネル情報，受信地域情報，受信時刻情報を対応づけたデータ構造自体（図３参照）を番組特定情報としてもよい。これは、受信しているテレビ番組のチャンネル，受信地域，受信時刻さえ明らかであれば、受信しているテレビ番組を特定することが可能だからである。例えば、携帯型電話機２において、図３に示すデータ構造と携帯型電話機２のメールアドレスとを対応づけた識別情報を出力し、この識別情報を外部サーバ装置３へ送信する。一方、外部サーバ装置３には、チャンネル情報，受信地域情報，受信時刻情報の組み合わせを入力すると、この組み合わせから特定されるテレビ番組に関連するコンテンツデータを出力するテーブルが備えられている。そして、外部サーバ装置３において、制御部３０は、携帯型電話機２から受信した上記識別情報に含まれる上記データ構造から、チャンネル情報，受信地域情報，受信時刻情報を読み出し、読み出した各情報の組み合わせを上記テーブルへ入力する。これにより、外部サーバ装置３において、携帯型電話機２が受信しているテレビ番組に関連するコンテンツデータを出力することができる。
【０１３４】
また、以上の携帯型電話機２では、ＧＰＳ受信部９からの地域情報に基づいて、テレビ番組を受信している地域を示す受信地域情報を出力しているが、携帯型電話機２において受信地域情報を出力しなくても、外部サーバ装置３側において、携帯型電話機２の受信しているテレビ番組を特定することが可能である。この点について以下説明する。
【０１３５】
例えば、携帯型電話機２において、チャンネル情報，受信時刻情報を対応づけた番組特定情報を出力し、この番組特定情報と携帯型電話機２のメールアドレスとを対応づけた識別情報を外部サーバ装置３へ向けて送信する。この時、携帯型電話機２とインターネット８との間の基地局（不図示）において、上述した識別情報に対して、携帯型電話機２の位置する地域を示した地域情報を付加すれば、外部サーバ装置３側において、携帯型電話機２が受信しているテレビ番組のチャンネル，受信地域，受信時刻を特定することができる。これにより、外部サーバ装置３側において、携帯型電話機２の受信しているテレビ番組を特定することが可能になる。
【０１３６】
また、以上の通信システム１によれば、外部サーバ装置３の記憶部３４においては、テレビ番組毎に、各コンテンツデータを番組特定情報に対応づけて格納している。ここで、一つの番組特定情報に対し、この番組特定情報に示されるテレビ番組に関連するコンテンツを複数種類格納してもよい。この場合、コンテンツデータ取得部３２は、予め用意されているアルゴリズムに基づいて、１つまたは複数のコンテンツデータを選択して読み出す。なお、ここで用いられるアルゴリズムとしては、（１）ランダムにコンテンツを選択するアルゴリズム、（２）同じ利用者については過去に選択したコンテンツを除外して選択するアルゴリズム、または、（３）同じ利用者については、過去に選択したアーティスト名を参照して、このアーティストに関するコンテンツを優先して選択する学習型アルゴリズム等が考えられる。
【０１３７】
また、外部サーバ装置３の記憶部３４において、一つの番組特定情報に対し、この番組特定情報に示されるテレビ番組に関連するコンテンツを複数種類格納する場合、複数種類のコンテンツから利用者が所望するコンテンツを選択させる構成にしてもよい。例えば、音楽番組を受信している携帯型電話機２から外部サーバ装置３へ識別情報が送られると、外部サーバ装置３のコンテンツデータ取得部３２は、複数の着信メロディのリストを示すリスト画像のデータ（関連情報）を記憶部３４から取得し、このデータが携帯型電話機２へ送られる。そして、当該画像が携帯型電話機２の表示部１５に表示されると共に、利用者が所望する着信メロディを選択すると、携帯型電話機２の識別情報出力部２３は、選択された着信メロディを特定する情報を識別情報に付加して外部サーバ装置３へ送信する。さらに、外部サーバ装置３のコンテンツデータ取得部３２は、当該識別情報に基づいて、この利用者の選択した着信メロディのデータを記憶部３４から取得し、携帯型電話機２へ送信するようにしてもよい。
【０１３８】
また、以上の携帯型電話機２において、番組特定情報取得部２１が出力する番組特定情報を記憶部１３へ保存する構成としてもよい。さらに、携帯型電話機２の利用者が指示するタイミングで、識別情報出力部２３が記憶部１３に保存されている番組特定情報を読み出し、読み出した番組特定情報と携帯識別情報とを関連づけた識別情報を出力する構成としてもよい。これにより、携帯型電話機２の利用者からすれば、ある時間帯において複数のテレビ番組を鑑賞すると共に、各々のテレビ番組の番組特定情報を記憶部１３に保存させることができる。そして、これらテレビ番組の終了後、各番組特定情報から得られる各識別情報を一括して外部サーバ装置３へ送信することが可能となる。
【０１３９】
さらに、本実施の形態の携帯型電話機２によれば、番組特定情報とメールアドレスとを対応づけた識別情報を出力しているが、番組履歴情報に対して対応づけるデータとしては上記メールアドレスに限るものではなく、個々の携帯型電話機２を特定する情報（端末特定情報）であればいかなるものでもよい。例えば、電話番号、各利用者に対して予め付与される暗証番号、ＰＳＩＤであってもよい。
【０１４０】
さらに、以上の携帯型電話機２においては、外部サーバ装置３から取得したコンテンツデータを、インターネット８を経由して他の携帯型電話機２に送信するようにしてもよい。このようにすれば、テレビ受信アプリケーションがインストールされていない携帯型電話機２に対しても該コンテンツデータを配信できる。
【０１４１】
また、本実施の形態における携帯型電話機２には、アナログ放送用地上波を受信するアンテナ・チューナ部１０が備えられているが、このアンテナ・チューナ部１０はデジタル放送用地上波を受信するものであってもよい。この場合、デジタル放送用地上波におけるデジタル信号の一部（ヘッダなどの属性部分）に番組の種類を特定する番組特定情報を付加情報として含ませておけば、番組特定情報取得部２１においては、この付加情報を取り出すだけで番組特定情報を出力することが可能となる。
【０１４２】
以上のように、本実施の形態の携帯型電話機２、外部サーバ装置３によれば、識別情報出力部２３が受信するテレビ放送の番組を特定する番組特定情報と、携帯型電話機２を特定するメールアドレスとを関連づけた識別情報を出力している。そして、該識別情報は、携帯型電話機２からインターネット８を介して外部サーバ装置３へ送信されることになる。よって、各々の携帯型電話機２からの識別情報を外部サーバ装置３に蓄積することにより、どの携帯型電話機２がどのテレビ番組を受信しているかを明確に特定することが可能となる。
【０１４３】
また、外部サーバ装置３は、どの携帯型電話機２がどのテレビ番組を受信しているかを明確に特定することができるため、携帯型電話機２が受信しているテレビ番組に関連するコンテンツデータを携帯型電話機２へ送信することができる。よって、携帯型電話機２の利用者側からすれば、受信しているテレビ番組に関連するコンテンツデータを取得でき、インタラクティブなサービスを享受することができる。
【０１４４】
〔実施の形態２〕
本発明の別の実施形態について図面に基づいて説明すると以下の通りである。なお、以下では、説明の便宜上、前記の実施の形態１で説明した部材と実質的に同一の機能を奏する部材については、同一の符号を付し、その説明を省略する場合がある。また、前記実施の形態１で述べた各種の特徴点については、本実施の形態についても組み合わせて適用し得るものとする。
【０１４５】
本実施の形態では、図２に示す通信システム１において、外部サーバ装置３に予め登録されている複数の携帯型電話機２・・・について、外部サーバ装置３が各々の携帯型電話機２・・・のテレビ番組の受信状況を把握し、所定のテレビ番組の視聴率，携帯電話機毎における所定のテレビ番組の視聴時間を出力する処理を行う。
【０１４６】
以下、本実施の形態の通信システム１において、上述した処理を実現する構成について詳細に説明する。図８は、本実施の形態に係る通信システム１の構成要素である携帯型電話機２の機能ブロック図である。
【０１４７】
ここでは、まず、携帯型電話機２の構成について説明する。本実施の形態の携帯型電話機２は、テレビ放送受信アプリケーションによりテレビ番組の視聴が可能な構成であり、外部サーバ装置３において視聴状況調査のために登録されているものである。具体的には、視聴状況の調査に同意する各利用者の携帯型電話機２には、各々の携帯電話機を識別するための登録番号が予め付与されているものとする。
【０１４８】
携帯型電話機２は、図８に示すように、アンテナ・チューナ部１０、ネットワークＩ／Ｆ（Interface）部１１、制御部１２ａ、記憶部１３ａ、表示部１５、操作部１６を備えている。
【０１４９】
アンテナ・チューナ部１０、ネットワークＩ／Ｆ部１１、表示部１５、操作部１６については、実施の形態１と実質的に同一の機能を奏する部材であるため、ここではその説明を省略する。
【０１５０】
制御部(第一制御手段)１２ａは、上述した携帯型電話機２内における各種構成の動作を統括的に制御するものであり、例えばＰＣベースのコンピュータによって構成される。そして、各種構成の動作制御は、制御プログラム、テレビ放送受信アプリケーションをコンピュータに実行させることによって行われる。このプログラム、アプリケーションを実行する形態としては、例えばフラッシュメモリーなどの不揮発性の記憶手段に記録されているものを読み出して使用する形態が考えられる。
【０１５１】
記憶部１３ａは、フラッシュメモリーなどの不揮発性の記憶手段によって構成されるものである。この記憶部１３に記憶される内容としては、上記した制御プログラム、ＯＳ(Operating System)プログラム、テレビ放送受信アプリケーション、ネットワークＩ／Ｆ部１１を介して入力した各種情報、携帯型電話機２における各種情報が含まれる。
【０１５２】
つぎに、制御部１２ａおよび記憶部１３ａの詳細な構成について説明する。制御部１２ａには、ネットワーク通信制御部１７、チューナ制御部１８、表示制御部１９、番組履歴情報取得部４０、識別情報出力部４１、登録番号出力部４２、地域情報出力部４３が含まれている。また、記憶部１３ａには、携帯型電話機２において受信しているテレビ番組の履歴を示す番組履歴情報を記録する番組履歴情報記憶領域６４、携帯型電話機２に対して予め付与されている登録番号（携帯型電話機２・・・ごとに異なる番号）を示す登録番号情報が保存されている登録番号記憶領域４４が含まれている。
【０１５３】
ネットワーク通信制御部１７、チューナ制御部１８、表示制御部１９については、実施の形態１と実質的に同一の機能を奏する部材であるため、ここではその説明を省略する。
【０１５４】
地域情報出力部４３は、番組履歴情報取得部４０からの要求に応じて、携帯型電話機２が接続されるべき基地局（不図示）の地域を示す情報をネットワーク通信制御部１７から検知すると共に、この情報に基づいて、携帯型電話機２がテレビ放送を受信している地域を示した受信地域情報を出力し、番組履歴情報取得部４０に送信するブロックである。
【０１５５】
登録番号出力部４２は、識別情報出力部４１からの要求に応じて、上記登録番号情報（端末特定情報）を登録番号記憶領域４４から読み出し、番組履歴情報取得部４０へ送信するブロックである。
【０１５６】
番組履歴情報取得部（番組特定情報出力手段）４０は、上記番組履歴情報を番組履歴情報記憶領域６４に書き込むブロックである。以下、本実施の形態における番組履歴情報を出力する処理について具体的に説明する。まず、番組履歴情報取得部４０は、制御部１２ａにおいてテレビ放送受信アプリケーションの起動を検知すると、起動している間、受信しているテレビ番組のチャンネルを示すチャンネル情報をチューナ制御部１８より取得し続け、上記受信地域情報を地域情報出力部４３より取得し続ける。また、番組履歴情報取得部４０は、チャンネルの変更がある度に、チャンネル変更時刻を示す時刻情報をタイマーより検知する。さらに、番組履歴情報取得部４０は、上記アプリケーション起動中において、チャンネル情報，地域情報，時刻情報の更新履歴である番組履歴情報を番組履歴情報記憶領域６４に書き込み続ける。そして、番組履歴情報取得部４０は、制御部１２ａにおけるテレビ放送受信アプリケーションの終了を検知すると、以上の動作を終了する。
【０１５７】
識別情報出力部４１は、制御部１２ａにおけるテレビ放送受信アプリケーションの終了を検知すると、登録番号出力部４２から登録番号情報を読み出すと共に、番組履歴情報記憶領域６４から上述した番組履歴情報を読み出す。そして、識別情報出力部４１は、読み出した登録番号情報と番組履歴情報とを関連づけた識別情報を出力し、ネットワーク通信制御部１７へ送信するブロックである。
【０１５８】
つぎに、外部サーバ装置３の詳細について説明する。図９は、本実施の形態に係る通信システム１の構成要素である外部サーバ装置３の機能ブロック図である。図９に示す外部サーバ装置３は、複数の携帯型電話機２におけるテレビ放送の受信状況を調査する業者のサーバ装置であって、制御部３０ｄ、記憶部３４ｄを備える構成である。
【０１５９】
制御部３０ｄ（第二制御手段）は、外部サーバ装置３内における各種構成の動作を統括的に制御するものであり、その動作制御は制御プログラムを実行することにより行われる。なお、制御部３０ｄには、ネットワーク通信制御部３１ｄ、視聴状況書込制御部４５、視聴率出力部４６、属性別視聴率出力部４７、視聴時間出力部４８が備えられている。
【０１６０】
また、記憶部３４ｄは、ハードディスクなどの不揮発性の記憶装置によって構成されるものである。この記憶部３４ｄに記憶される内容としては、上記した制御プログラム、制御部３０ｄにより出力される情報が挙げられる。なお、記憶部３４ｄには、視聴状況記憶領域４９、視聴率記憶領域５０、属性別視聴率記憶領域５１、視聴時間記憶領域５２、個人情報記憶領域５３が含まれる。
【０１６１】
つぎに、制御部３０ｄおよび記憶部３４ｄに含まれる各機能ブロックについて詳細に説明する。
【０１６２】
視聴状況記憶領域４９は、各携帯型電話機２・・・から外部サーバ装置３に伝送されてくる識別情報に含まれる登録番号データおよび番組履歴情報を記憶する領域である。
【０１６３】
視聴率記憶領域５０は、所定のテレビ番組の視聴率データを記憶する領域である。属性別視聴率記憶領域５１は、各携帯型電話機２・・・の利用者の属性別（後述）に、所定のテレビ番組の視聴率データを記憶する領域である。視聴時間記憶領域５２は、各携帯型電話機２・・・の利用者別に、所定のテレビ番組の視聴時間データを記憶する領域である。
【０１６４】
個人情報記憶領域５３は、登録されている各携帯型電話機２・・・の利用者の性別データ，年齢データ，職業データ等の個人データ（属性情報）が、各携帯型電話機２・・・の登録番号データに対応づけられて記憶されている領域である。
【０１６５】
ネットワーク通信制御部３１ｄは、インターネットを介した情報の送受信を制御するブロックである。具体的に、ネットワーク通信制御部３１ｄは、各携帯型電話機２・・・からの識別情報を受信して視聴状況書込制御部４５へ送信する。
【０１６６】
視聴状況書込制御部４５は、上記識別情報に含まれる登録番号情報と番組履歴情報とを対応づけた形で視聴状況記憶領域４９に保存するブロックである。
【０１６７】
視聴率出力部（視聴パラメータ出力手段）４６は、視聴状況記憶領域４９に記憶されている各番組履歴情報に基づいて所定のテレビ番組の視聴率データ（視聴パラメータ）を出力し、出力結果を視聴率記憶領域５０へ書き込むブロックである。具体的に説明すると、視聴状況記憶領域４９に格納されている各番組履歴情報において、ある受信時刻におけるチャンネル情報および地域情報に基づけば、ある受信時刻における所定のテレビ番組の視聴者数をカウントできる。そして、登録されている携帯型電話機２の数と所定のテレビ番組の視聴者数との比率を算出すれば、所定のテレビ番組の視聴率データを出力することができる。
【０１６８】
属性別視聴率出力部（視聴パラメータ出力手段）４７は、個人情報記憶領域５３から登録番号ごとに記憶されている各利用者の性別データ，年齢データ，職業データを取得すると共に、視聴状況記憶領域４９に記憶されている各番組履歴情報から性別視聴率データ，年齢別視聴率データ，職業別視聴率データを出力し、出力結果を属性別視聴率記憶領域５１に保存するブロックである。具体的に説明すると、視聴状況記憶領域４９には、各登録番号データと各番組履歴情報とが利用者ごとに対応づけられて記憶されている。これに対し、個人情報記憶領域５３には、各登録番号データと、各利用者の性別データ，年齢データ，職業データとが利用者ごとに対応づけられて記憶されている。したがって、両記憶領域４９・５３に記憶されている情報に基づけば、性別、年齢別、職業別に、ある受信時刻における所定のテレビ番組の視聴者数をカウントすることができ、利用者の属性別に視聴率データを測定することが可能になる。
【０１６９】
視聴時間出力部（視聴パラメータ出力手段）４８は、視聴状況記憶領域４９に記憶されている各登録番号データおよび各番組履歴情報から、携帯型電話機２の利用者毎に、所定のテレビ番組における視聴時間データを出力し、出力結果を視聴時間記憶領域５２へ書き込むブロックである。具体的に説明すると、視聴状況記憶領域４９には、各登録番号データと各番組履歴情報とが利用者ごとに対応づけられて記憶されている。したがって、ある登録番号データに対応している番組履歴情報に着目すれば、その登録番号データに示される利用者における所定のテレビ番組の視聴時間データを出力することができる。
【０１７０】
つぎに、本実施の形態の通信システム１における処理フローについて、図１０に基づいて説明する。
【０１７１】
まず、携帯型電話機２における処理の流れについて説明する。Ｓ２１において、携帯型電話機２の利用者が、テレビ放送受信アプリケーションを起動させると、表示制御部１９は、携帯型電話機２の表示部１５においてテレビ鑑賞用画像３７（図５参照）を表示する（Ｓ２１）。ここで、携帯型電話機２の番組履歴情報取得部４０は、テレビ放送受信アプリケーションの起動を検知し、番組履歴情報記憶領域６４に対して、上述した番組履歴情報の書き込みを実行する（Ｓ２２）。なお、この書き込み動作は、テレビ放送受信アプリケーションが起動している間、継続される。したがって、携帯型電話機２の利用者がチャンネルを切り替えると、切り替え前後のチャンネル情報および切り替え時間が記録される。
【０１７２】
この書き込み動作が継続されている間、制御部１２ａは、テレビ鑑賞用画像３７上の終了ボタン３７ｆ（図５参照）がクリックされたか否かを判定し続けている（Ｓ２３）。そして、テレビ画像を鑑賞している利用者が、終了ボタン３７ｆをクリックすると（Ｓ２３，ＹＥＳ）、制御部１２ａがテレビ放送受信アプリケーションを終了する（Ｓ２４）。なお、クリックされていない場合、Ｓ２２が繰り返される。
【０１７３】
そして、テレビ放送受信アプリケーションが終了すると、識別情報出力部４１が、テレビ放送受信アプリケーションの起動中に記録され続けた番組履歴情報と、登録番号情報とを対応づけた識別情報を出力する（Ｓ２５）。さらに、出力された識別情報は、ネットワーク通信制御部１７，ネットワークＩ／Ｆ部１１，インターネット８を介して外部サーバ装置３へ伝送される（Ｓ２６）。
【０１７４】
外部サーバ装置３においては、ネットワーク通信制御部３１ｄが、上記識別情報を受信すると共に、この識別情報を視聴状況書込制御部４５へ入力する。識別情報を入力した視聴状況書込制御部４５は、この識別情報に含まれる登録番号情報と番組履歴情報とを対応づけた形で視聴状況記憶領域４９に保存する（Ｓ２７）。そして、視聴率出力部４６は、視聴状況記憶領域４９に記憶されている各番組履歴情報に基づいて所定のテレビ番組の視聴率データを出力し、出力結果を視聴率記憶領域５０に保存する（Ｓ２８）。また、属性別視聴率出力部４７は、個人情報記憶領域５３に記憶されている各種データおよび視聴状況記憶領域４９に記憶されている各番組履歴情報に基づき、性別視聴率データ，年齢別視聴率データ，職業別視聴率データを出力し、出力結果を属性別視聴率記憶領域５１に保存する（Ｓ２９）。さらに、視聴時間出力部４８は、視聴状況記憶領域４９に記憶されている各登録番号データおよび各番組履歴情報から、携帯型電話機２・・・の利用者毎に、所定のテレビ番組における視聴時間データを出力し、出力結果を視聴時間記憶領域５２へ保存する（Ｓ３０）。
【０１７５】
つまり、以上示した通信システム１によれば、外部サーバ装置３は、予め登録されている各携帯型電話機２・・・から伝送された番組履歴情報を集計している。この番組履歴情報とは、各携帯型電話機２・・・における、チャンネル情報，受信地域情報，時刻情報の更新履歴である。つまり、この番組履歴情報によれば、チャンネル情報と受信地域情報との組み合わせから、各携帯型電話機２において受信していたテレビ番組を特定することができ、さらに、時刻情報を合わせれば、ある時刻に放送されている所定のテレビ番組の視聴者数を測定できるため、視聴率データを測定することが可能になる。
【０１７６】
さらに、以上示した通信システム１によれば、外部サーバ装置３は、予め登録されている各携帯型電話機２・・・から伝送された番組履歴情報と登録番号データとを携帯型電話機２ごとに対応づけて、視聴状況記憶領域４９に記憶している。また、外部サーバ装置３の個人情報記憶領域５３には、予め登録されている各携帯型電話機２・・・の登録番号データと、各携帯型電話機２・・・の利用者の個人データとが対応づけられて記憶されている。したがって、携帯型電話機２の利用者の性別、年齢、職業別に、各携帯型電話機２において受信していたテレビ番組を特定することができ、さらに、時刻情報を合わせれば、ある時刻に放送されている所定のテレビ番組の視聴者数を測定できる。したがって、携帯型電話機２の利用者の性別、年齢、職業別に、所定のテレビ番組の視聴率データを測定することが可能になる。
【０１７７】
また、以上示した通信システム１によれば、登録番号データ毎に番組履歴情報が記憶されているので、携帯型電話機２毎に受信していたテレビ番組を特定することができる。したがって、時刻情報と合わせれば、携帯型電話機２・・・毎に、各テレビ番組の視聴時間データを測定することが可能となる。
【０１７８】
このように、以上の通信システム１によれば、外部サーバ装置３は、テレビ放送受信アプリケーションを内蔵している各携帯型電話機２・・・が出力する識別情報に基づいて、所定のテレビ番組の視聴率データを測定し、ＴＶ局６の番組制作者やスポンサーにフィードバックすることができる。
【０１７９】
近年、テレビ放送受信アプリケーションをインストールした携帯型電話機２が販売されつつある。ここで、ＴＶ局６やスポンサーの側からすれば、このような携帯型電話機２の普及率という尺度よりも、（ａ）このような携帯型電話機２の利用者のうち、どれくらいの利用者がテレビ放送受信アプリケーションを実際に利用しているか、（ｂ）テレビ放送受信アプリケーションをインストールした各携帯型電話機２・・・における所定のテレビ番組の視聴率、を把握する必要がある。
【０１８０】
ここで、通信システム１によれば、以上示したように、予め登録されている各携帯型電話機２・・・を母集団として、外部サーバ装置３において所定のテレビ番組の視聴率データを出力することができ、外部サーバ装置３で出力される情報をＴＶ局６やスポンサーに提供することにより、ＴＶ局６やスポンサーに対して上述した（ａ）（ｂ）を把握させることが可能となる。
【０１８１】
また、テレビ放送受信アプリケーションをインストールした携帯型電話機２では、通常の設置型テレビとは異なり、各々の所有者と視聴者とが完全一致する傾向が強い。したがって、本実施の形態のように、外部サーバ装置３において、登録されている各携帯型電話機２・・・の所有者の個人情報を予め取得しておけば、個々の利用者の属性別（年齢層、性別、職業等）に視聴率データを測定することができる。このような属性別の視聴率データをＴＶ局６またはスポンサーへ提供すれば、より視聴者のターゲット層を絞った番組作成を行うことができ、より効果的なコマーシャルを作成することができる。
【０１８２】
また、テレビ放送受信アプリケーションをインストールした携帯型電話機２や双方向通信の可能なテレビ機の普及率が向上すると、今後、ＴＶ局において、インタラクティブな番組の制作が行なわれていくと考えられる。ここで、本実施の形態によれば、個々の利用者の属性別に視聴率データを測定することができるため、個々の利用者の属性に特化したテレビ番組の制作が可能になる。例えば、所定のテレビ番組の性別視聴率データを取得すれば、より視聴率の高い方の性別にあわせて番組制作を行える。また、所定のテレビ番組の年齢層別視聴率データを取得すれば、視聴者の年齢層を考慮した番組プレゼントを用意することができる。
【０１８３】
また、本実施の形態の外部サーバ装置３では、携帯型電話機２・・・ごとに、所定のテレビ番組の視聴時間データを出力している。したがって、外部サーバ装置３で出力される情報をＴＶ局６に提供すれば、ＴＶ局６からすれば、利用者ごとの所定のテレビ番組を鑑賞した時間を特定することができる。これにより、テレビ番組制作者からすれば、所定のテレビ番組について一定時間以上視聴を続けている利用者に対してのみインターネット８を介したインタラクティブなサービス（例えばプレゼントの提供）を提供する等、番組制作に対して効率の良い投資ができる。
【０１８４】
なお、本実施の形態の外部サーバ装置３によれば、視聴率出力部４６、属性別視聴率出力部４７、視聴時間出力部４８は、出力結果を記憶部３４ｄ内に格納しているが、出力結果を記憶部３４ｄに格納せずに、ネットワーク通信制御部３１dを介してＴＶ局６のサーバ装置７aに送信する構成にしてもよい（図９）。
【０１８５】
また、外部サーバ装置３において、以上の視聴率データ、属性別視聴率データ、視聴時間データを継続的に計測すれば、各携帯型電話機２・・・の利用者が頻繁に視聴しているテレビ番組（各利用者の好みの番組）を特定することができる。ここで、電子メール等によって、利用者毎に、好みのテレビ番組の放映前に番組開始を伝えるメッセージを外部サーバ装置３から携帯型電話機２へ送信すれば、利用者にとって好みのテレビ番組を忘れることなく視聴できる。また、ＴＶ局６側からすれば、視聴率の向上につながり、効果的にテレビ放送を行うことが可能となる。
【０１８６】
さらに、上述した番組開始を伝えるメッセージに、今回放映分の番組内容の概要、出演者等の情報を含ませれば、利用者にとって利便性のあるサービスを提供できる。
【０１８７】
また、本実施の形態の通信システム１によれば、携帯型電話機２の番組履歴情報取得部４０は、テレビ放送受信アプリケーションの起動中、番組履歴情報を取得し続けている。しかし、番組履歴情報取得部４０は、テレビ放送受信アプリケーションの起動中、継続的に番組履歴情報を取得し続ける必要性はない。例えば、実施の形態１で示した番組特定情報取得部２１を図８の携帯型電話機２に備え、定期的（例えば、数分おき）に番組特定情報を出力すると共に、この番組特定情報と登録番号情報とを対応づけた識別情報を外部サーバ装置３へ自動的に送信するようにしても構わない。この場合であっても、外部サーバ装置３において、各携帯型電話機２・・・を母集団として、所定のテレビ番組の視聴率データを測定することができる。
【０１８８】
さらに、携帯型電話機２・・・において、継続的に番組履歴情報を取得し続ける構成、定期的に番組履歴情報を取得する構成のいずれであっても、利用者の所望するタイミングで、該番組履歴情報と登録番号データとを対応づけた識別情報を出力し、外部サーバ装置３へ送信するようにしても構わない。
【０１８９】
また、定期的に番組履歴情報を取得する構成の場合、取得した番組履歴情報を番組履歴情報記憶領域６４に保存する必要はなく、取得される都度、番組履歴情報と登録番号データとを対応づけた識別情報を携帯型電話機２から外部サーバ装置３へ自動的に伝送するようにしてもよい。
【０１９０】
さらに、本実施の形態の携帯型電話機２によれば、番組履歴情報と登録番号データとを対応づけた識別情報を出力しているが、番組履歴情報に対して対応づけるデータとしては上記登録番号データに限るものではなく、個々の携帯型電話機２を特定する情報（端末特定情報）であればいかなるものでもよい。例えば、メールアドレス、電話番号、各利用者に対して予め付与される暗証番号、ＰＳＩＤであってもよい。
【０１９１】
また、本実施の形態の通信システム１によれば、各携帯型電話機２・・・は予め外部サーバ装置３に登録されているが、特に登録されている必要はない。例えば、登録されていない各携帯型電話機２・・・において、上述した番組履歴情報と携帯型電話機２のメールアドレスとを対応づけた識別情報を出力し、この識別情報を外部サーバ装置３へ送信する。これにより、母集団となる各携帯型電話機２・・・の数に変動があるものの、外部サーバ装置３において所定のテレビ番組の視聴率データを出力することが可能となる。
【０１９２】
また、本実施の形態の通信システム１によれば、各携帯型電話機２・・・は予め外部サーバ装置３に登録されているが、各携帯型電話機２を用いて登録することが可能である。例えば、外部サーバ装置３に対して登録を実行する機能を携帯型電話機２のテレビ放送受信アプリケーションに含めてもよい。この場合、利用者は、テレビ放送受信アプリケーションの起動後、携帯型電話機２の操作部１６から個人情報を入力する。そして、入力された個人情報が外部サーバ装置３へ伝送される。さらに、外部サーバ装置３は、携帯型電話機２から送られてきた情報に基づいて携帯型電話機２を登録する。具体的には、外部サーバ装置３の制御部３０ｄが、この携帯型電話機２に付与する登録番号情報と上記個人情報とを対応づけて記憶部３４ｄに保存する。そして、外部サーバ装置３の制御部３０ｄは、登録番号情報を携帯型電話機２へ送信し、登録が完了する。
【０１９３】
また、本実施の形態の通信システム１によれば、携帯型電話機２から外部サーバ装置３へ送られる識別情報には、携帯型電話機２がテレビ番組を受信している地域を示す受信地域情報が含まれている。したがって、例えば、属性別視聴率出力部４７は、利用者が現実に位置する地域別の視聴率データ（例えば、市町村別）を算出することも可能である。特に、携帯型電話機２は移動可能なモバイルであるため、このような地域別視聴率データを算出することも今後重要になると考えられる。
【０１９４】
なお、本実施の形態の外部サーバ装置３によれば、所定のテレビ番組の視聴率データ、属性別の視聴率データ、携帯型電話機２・・・毎の所定のテレビ番組の視聴時間データを出力しているが、これらに限るものではなく、所定のテレビ番組が視聴されている頻度を示すパラメータであれば、これら以外のパラメータであってもよい。
【０１９５】
また、本実施の形態の通信システム１によれば、所定のテレビ番組の視聴頻度を示すパラメータを出力できるが、本実施の形態１の通信システムを用いて「視聴質」を出力しても構わない。但し、この場合、利用者がテレビ番組に対して抱く感情の度合を示すボタン（「感動ボタン」「納得ボタン」「怒りボタン」等）をテレビ鑑賞用画像３７に表示し、利用者がこれらのボタンをクリックすると、この感情の度合を示したデータが携帯型電話機２から外部サーバ装置３へ伝送される構成にする必要がある。なお、「視聴質」とは、視聴率という量的な尺度に対して番組の質的な評価の指標を提起されたものである。
【０１９６】
また、本実施の形態の通信システム１において、外部サーバ装置３は、所定のテレビ番組が終了するタイミングで、登録されている各携帯型電話機２・・・に対してアンケート応募メールを送信し、各携帯型電話機２の利用者がこのアンケート応募メールに対しての回答メールを外部サーバ装置３に返信するようにしてもよい。ここで、テレビ番組に対する感想をアンケートすれば、テレビ番組の放送終了後に上述した「視聴質」調査を行える。
【０１９７】
また、本実施の形態の通信システム１において、外部サーバ装置３の管理者側からすれば、視聴率調査に協力した利用者に対してのみ、実施の形態１にて説明した通信システム１で実現するサービス（受信するテレビ番組に関連するコンテンツの送信）を提供するといったビジネスも可能である。
【０１９８】
さらに、外部サーバ装置３において継続的に視聴率，属性別視聴率を出力し、例えば、出力結果を調査機関、出版社等へ提供することにより、携帯型電話機におけるテレビ番組の視聴率、テレビ番組の人気ランキング等を公表することができる。これにより、テレビ放送受信アプリケーション内蔵型の携帯型電話機のみの視聴率調査を周知化させることも可能である。
【０１９９】
以上、本実施の形態の携帯型電話機２、外部サーバ装置３によれば、識別情報出力部４１が受信するテレビ放送の番組を特定する番組特定情報と、携帯型電話機２を特定する登録番号データとを関連づけた識別情報を出力している。そして、該識別情報は、携帯型電話機２からインターネット８を介して外部サーバ装置３へ送信されることになる。よって、各々の携帯型電話機２からの識別情報を外部サーバ装置３に蓄積することにより、どの携帯型電話機２がどのテレビ番組を受信しているかを明確に特定することが可能となる。
【０２００】
特に、テレビ放送受信可能な端末装置の中で、携帯型電話機２は、各々の所有者（利用者）とテレビ番組の視聴者とが完全一致する傾向が最も強い。したがって、テレビ番組に関するサービス提供者からすれば、どの携帯型電話機２がどのテレビ番組を受信しているかを測定することが、今後、極めて重要になる。
【０２０１】
また、本実施の形態によれば、上記識別情報には、受信したテレビ番組の履歴である番組履歴情報が含まれている。したがって、個々の携帯型電話機２から受信した識別情報を集計すれば、個々の携帯型電話機２において受信したテレビ番組を特定でき、所定のテレビ番組が視聴されている頻度（視聴率、視聴時間等）を示すことができる。
【０２０２】
ところで、上述した各実施の形態における携帯型電話機２、外部サーバ装置３、サーバ装置７ａ、７ｂは、プログラムをコンピュータに実行させて実現してもよい。すなわち、携帯型電話機２、外部サーバ装置３、サーバ装置７ａ、７ｂは、制御プログラムの命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶部（記録媒体）などを備えてもよい。
【０２０３】
本発明は上述した各実施の形態に限定されるものではなく、請求項に示した範囲で種々の変更が可能であり、各実施の形態において開示された各技術的手段を適宜組み合わせて得られる技術的手段についても本発明の技術的範囲に含まれる。
【産業上の利用可能性】
【０２０４】
本発明は、インターネットを介した通信が可能であると共に、テレビ放送受信アプリケーションを用いてテレビ放送の受信が可能な端末装置、および端末装置と通信可能なサーバ装置に関するものであり、どの端末装置がどのテレビ番組を受信しているかを明確に特定することがサーバ装置側にて可能なものである。この端末装置は、例えば、テレビ放送の受信が可能な携帯型電話機，ＰＨＳ，ＰＤＡ，ＰＣ等に利用できる。
【図面の簡単な説明】
【０２０５】
【図１】本発明の実施の一形態に係る携帯型電話機の機能ブロック図である。
【図２】本発明の実施の一形態に係る携帯型電話機、外部サーバ装置、ＴＶ局のサーバ装置、コンテンツプロバイダのサーバ装置を含んだ通信システムを示した図である。
【図３】図１の携帯型電話機において出力されるチャンネル情報，受信地域情報，受信時刻情報を対応づけたデータ構造を示した図である。
【図４】（ａ）は図２に示す外部サーバ装置の機能ブロック図であり、（ｂ）は図２に示すＴＶ局のサーバ装置の機能ブロック図である。
【図５】図１の携帯型電話機において、ＴＶ受信アプリケーションを起動した場合に表示部に表示されるテレビ鑑賞用画像を示した図である。
【図６】図５に示すテレビ鑑賞用画像のメッセージ表示領域に表示される画像であって、（ａ）はアーティストのＣＤ販売情報を示した画像であり、（ｂ）は着信メロディのダウンロードを促すための画像であり、（ｃ）はキャプチャー機能を実行した場合に表示される画像であり、（ｄ）はプレゼント応募申し込みを促すための画像である。
【図７】本発明の実施の一形態に係る通信システムにおける各処理を示したフローチャートである。
【図８】本発明の他の実施形態に係る携帯型電話機の機能ブロック図である。
【図９】本発明の他の実施形態に係る外部サーバ装置の機能ブロック図である。
【図１０】本発明の他の実施形態に係る通信システムにおける各処理を示したフローチャートである。
【符号の説明】
【０２０６】
１    通信ネットワークシステム（通信システム）
２    携帯型電話機（端末装置）
３    外部サーバ装置（サーバ装置）
７ａ・７ｂ    サーバ装置
８    インターネット（通信ネットワーク）
１２・１２ａ    制御部（第一制御手段）
１７    ネットワーク通信制御部（第一送信手段、第一受信手段）
１８    チューナ制御部（テレビ放送受信手段）
１９    表示制御部
２０    ＧＰＳ制御部
２１    番組特定情報取得部（番組特定情報出力手段）
２２    携帯特定情報出力部
２３    識別情報出力部（識別情報出力手段）
３０    制御部（第二制御手段）
３１    ネットワーク通信制御部（第二受信手段、第二送信手段）
３２    コンテンツデータ取得部（関連情報取得手段）
３３    コンテンツデータ書込部
３５    コンテンツデータ配信部
４０    番組履歴情報取得部（番組特定情報出力手段）
４１    識別情報出力部
４２    登録番号出力部
４３    地域情報出力部
４５    視聴状況書込制御部
４６    視聴率出力部（視聴パラメータ出力手段）
４７    属性別視聴率出力部（視聴パラメータ出力手段）
４８    視聴時間出力部（視聴パラメータ出力手段）
【図１】
2005277783.tif 000003
【図２】
2005277783.tif 000004
【図３】
2005277783.tif 000005
【図４】
2005277783.tif 000006
【図５】
2005277783.tif 000007
【図６】
2005277783.tif 000008
【図７】
2005277783.tif 000009
【図８】
2005277783.tif 000010
【図９】
2005277783.tif 000011
【図１０】
2005277783.tif 000012